(57)【要約】【課題】従来の技術では，開示の際に有効とされる利用者の情報は１つのみとなっており，誰にたいしても，この一つの有効となっている利用者の情報を開示するものであり、開示相手は利用者の情報が断片的にしか把握できなかった。【解決手段】本出願に係る発明は、階層的に構成された利用者の情報において、利用者に選択された利用者の情報からそこから上位の階層にある利用者の情報までのすべての利用者の情報が相手に開示されるものである。これにより，利用者の情報を開示する相手に応じて、前記利用者の情報を変化させることができる。本出願に係る階層的プレゼンス情報開示装置は階層的プレゼンス情報開示装置と階層的プレゼンス情報取得部と階層的プレゼンス情報保持部と開示要求情報取得部と特定階層プレゼンス情報開示処理部とを有する。【選択図】図１
2005004567.tif 000002
【特許請求の範囲】
【請求項１】
階層的なプレゼンス情報である階層的プレゼンス情報を取得する階層的プレゼンス情報取得部と、
前記階層的プレゼンス情報取得部で取得した階層的プレゼンス情報を、階層ごとに、情報を開示する相手を識別する情報である開示相手識別情報と関連付けて保持する階層的プレゼンス情報保持部と、
前記開示相手識別情報を含む前記階層的プレゼンス情報の開示要求のための情報である開示要求情報を取得する開示要求情報取得部と、
前記開示要求情報取得部で取得した開示要求情報に含まれる開示相手識別情報と関連付けられている特定階層のプレゼンス情報を前記要求に応じて開示するための処理をする特定階層プレゼンス情報開示処理部と、
を有する階層的プレゼンス情報開示装置。
【請求項２】
前記階層的プレゼンス情報取得部は、プレゼンス情報を予め用意したプルダウンメニューの選択に基づいて階層的プレゼンス情報を取得する請求項１に記載の階層的プレゼンス情報開示装置。
【請求項３】
前記階層的プレゼンス情報保持部は、階層ごとに開示相手への開示レベルを示す情報である開示相手レベル情報と関連付けられており、
前記開示相手識別情報は、前記開示相手レベル情報と関連付けられている
請求項１に記載の階層的プレゼンス情報開示装置。
【請求項４】
前記階層的プレゼンス情報取得部は、プレゼンス情報として、場所に関する情報、時間的余裕に関する情報、仕事の進捗に関する情報、スケジュールに関する情報、体調に関する情報、気分に関する情報、服装に関する情報、おなかのすき具合に関する情報、体感温度に関する情報、身体の痛さに関する情報のいずれか一、又は組み合わせを含む請求項１に記載の階層的プレゼンス情報開示装置。
【請求項５】
階層的プレゼンス情報保持部は、複数の階層的プレゼンス情報を保持する複数階層的プレゼンス情報保持手段を有する請求項１に記載の階層的プレゼンス情報開示装置。
【請求項６】
前記複数階層的プレゼンス情報保持手段の前記複数の階層的プレゼンス情報は、それぞれ前記開示相手識別情報と関連付けられており、
前記開示要求情報取得部で取得した開示要求情報に含まれる開示相手識別情報と関連付けられている階層的プレゼンス情報を選択して前記要求に応じて開示するための処理をする選択階層的プレゼンス情報開示処理部を、
を有する請求項５に記載の階層的プレゼンス情報開示装置。
【請求項７】
階層的なプレゼンス情報である階層的プレゼンス情報を取得する階層的プレゼンス情報取得ステップと、
前記階層的プレゼンス情報取得ステップで取得した階層的プレゼンス情報を、階層ごとに、情報を開示する相手を識別する情報である開示相手識別情報と関連付けて保持する階層的プレゼンス情報保持ステップと、
前記開示相手識別情報を含む前記プレゼンス情報の開示要求のための情報である開示要求情報を取得する開示要求情報取得ステップと、
前記開示要求情報取得ステップで取得した開示要求情報に含まれる開示相手識別情報と関連付けられている特定階層のプレゼンス情報を前記要求に応じて開示するための処理をする特定階層プレゼンス情報開示処理ステップと、
を有する階層的プレゼンス情報開示方法。
【発明の詳細な説明】
【０００１】
【発明の属する技術分野】
本発明は利用者の情報を開示する装置及び方法に関する。
【０００２】
【従来の技術】
従来の利用者の情報を管理する装置の技術として、利用者の状況変化に応じ利用者の情報を自由に変更するものがある。従来の技術の公知文献は下記である。
【０００３】
【特許文献１】
特開２００１−３４４２００号公報（第２頁−第７頁、第１図−第１７図）
【０００４】
【発明が解決しようとする課題】
しかし、従来の技術では，開示の際に有効とされる利用者の情報は１つのみとなっており，誰にたいしても，この一つの有効となっている利用者の情報を開示するものであり、開示相手は利用者の情報が断片的にしか把握できなかった。
【０００５】
【課題を解決するための手段】
本出願に係る発明は、階層的に構成された利用者の情報において、利用者に選択された利用者の情報からそこから上位の階層にある利用者の情報までのすべての利用者の情報が相手に開示されるものである。これにより，利用者の情報を開示する相手に応じて、前記利用者の情報を変化させることができる。本出願に係る階層的プレゼンス情報開示装置は階層的プレゼンス情報開示装置と階層的プレゼンス情報取得部と階層的プレゼンス情報保持部と開示要求情報取得部と特定階層プレゼンス情報開示処理部とを有する。
【０００６】
【発明の実施の形態】
以下、本発明の実施の形態を図示例と共に説明する。
本発明の実施形態１は主に請求項１または７などに対応する。
本発明の実施形態２は主に請求項２などに対応する。
本発明の実施形態３は主に請求項３などに対応する。
本発明の実施形態４は主に請求項４などに対応する。
本発明の実施形態５は主に請求項５などに対応する。
本発明の実施形態６は主に請求項６などに対応する。
【０００７】
＜実施形態１＞
【０００８】
＜概要＞
【０００９】
図１は実施形態１の階層的プレゼンス情報開示装置の概念の一例を示す図である。ある企業の管理職であるＢさんのスケジュールを社内の人ａさんが知りたい場合を例に説明する。管理職のＢさんの１週間のスケジュールを秘書のｄさんが階層的プレゼンス情報開示装置に入力する。入力されたスケジュールは階層的プレゼンス情報として階層的プレゼンス情報開示装置に蓄積される。そして、社内の人であるａさんがＢさんの現在の状況を階層的プレゼンス情報開示装置に問合せる。すると、階層的プレゼンス情報開示装置は‘Ｂさんの現在状況は０２／０５／１２  １０：００からの打合せである’ことをａさんに通知する。
【００１０】
＜構成＞
【００１１】
図２は実施形態１の階層的プレゼンス情報開示装置の機能ブロックの一例の図である。実施形態１の階層的プレゼンス情報開示装置０２００は、階層的プレゼンス情報取得部０２０１と階層的プレゼンス情報保持部０２０２と開示要求情報取得部０２０３と特定階層プレゼンス情報開示処理部０２０４とを有する。
【００１２】
「階層的プレゼンス情報取得部」は、階層的なプレゼンス情報である階層的プレゼンス情報を取得する。「プレゼンス情報」とは、開示する対象となる利用者の現在の状況に関する情報である。「利用者」とは、階層的プレゼンス情報開示装置を利用して自身のプレゼンス情報を開示相手に通知しようとする人をいう。「開示相手」とは、利用者のプレゼンス情報を階層的プレゼンス情報開示装置を通じて通知されたい人をいう。「階層的プレゼンス情報」とは、利用者の最上位の基になるプレゼンス情報と、他の下位の一以上のプレゼンス情報とからなる。前記他の下位の一以上のプレゼンス情報の中の一のプレゼンス情報が他のプレゼンス情報に対して下位に関連付けられていても良い。つまり、一のプレゼンス情報を基として複数のプレゼンス情報が上位及び下位に関連づけされていても良い。「取得」とは、階層的プレゼンス情報開示装置が一の基となるプレゼンス情報と一以上のプレゼンス情報とを上位及び下位に関連付けて取得することをいう。
【００１３】
「階層的プレゼンス情報保持部」は、前記階層的プレゼンス情報取得部で取得した階層的プレゼンス情報を、階層ごとに、情報を開示する相手を識別する情報である開示相手識別情報と関連付けて保持する。「開示相手識別情報」とは、階層的プレゼンス情報開示装置を用いて利用者のプレゼンス情報を取得しようとする人を識別する情報であり、社員番号やＩＰ（Ｉｎｔｅｒｎｅｔ  Ｐｒｏｔｏｃｏｌ）アドレスなどである。「関連付けて」とは、階層的プレゼンス情報開示装置が階層的プレゼンス情報を保持する際に、階層的プレゼンス情報と開示相手識別情報を一対一、一対多、多対一に関連付けることをいう。「保持」とは、階層的プレゼンス情報開示装置が開示相手識別情報と関連づけられた階層的プレゼンス情報をすぐに利用できるように保持することをいう。
【００１４】
「開示要求情報取得部」は、前記開示相手識別情報を含む前記階層的プレゼンス情報の開示要求のための情報である開示要求情報を取得する。「開示要求情報」とは、開示相手識別情報と関連づけられた階層的プレゼンス情報を閲覧したい開示相手又は装置などが階層的プレゼンス情報開示装置に前記階層的プレゼンス情報の提供を求めるための情報である。「取得」とは、階層的プレゼンス情報開示装置が階層的プレゼンス情報を閲覧したい開示相手又は装置などからの開示要求情報を取得することをいう。
【００１５】
「特定階層プレゼンス情報開示処理部」は、前記開示要求情報取得部で取得した開示要求情報に含まれる開示相手識別情報と関連付けられている特定階層のプレゼンス情報を前記要求に応じて開示するための処理をする。「開示相手識別情報と関連付けられている特定階層のプレゼンス情報」とは、開示要求情報に含まれる開示相手識別情報と合致する開示相手識別情報と関連づけられた階層的プレゼンス情報保持部のプレゼンス情報と、前記階層的プレゼンス情報の上位に関連付けられている全てのプレゼンス情報と、で構成される階層的プレゼンス情報のことをいう。「特定階層」とは開示相手に通知されるために処理されたプレゼンス情報の階層をいう。「前記要求に応じて開示するための処理」とは、開示要求情報取得部が開示要求情報を取得した際に前記特定階層のプレゼンス情報を閲覧したい開示相手又は装置などに提供するための処理である。
【００１６】
図３は実施形態１の階層的プレゼンス情報開示装置の実施の一例を示す図である。階層的プレゼンス情報開示装置の階層的プレゼンス情報取得部はＢさんの階層的プレゼンス情報として、Ｂさんが０２／０５／１２  １０：００に△○プロジェクトの打合せでＤ氏、Ｅ氏、Ｆ氏とＺ製品の不具合について打合せをするという階層的プレゼンス情報を取得する。そして、階層的プレゼンス情報保持部は取得された階層的プレゼンス情報を保持する。つまり、階層的プレゼンス情報保持部は、前記階層的プレゼンス情報の各々のプレゼンス情報にＩＤを付加し開示相手識別情報と上位階層ＩＤとに関連づけ保持する。また、上位階層ＩＤを取得されるプレゼンス情報に応じて付加してもよい。そして、開示要求情報取得部が社内の人であるａさんから開示要求情報を取得する。すると、階層的プレゼンス情報保持部は、ＩＤ番号が２のプレゼンス情報の開示相手識別情報が社内の人のａさんであり、そして、上位階層ＩＤのＩＤ番号が１であるので、ＩＤ番号が１と２とのプレゼンス情報である、‘０２／０５／１２  １０：００’と‘打合せ’とを特定階層プレゼンス情報開示処理部に通知する。特定階層プレゼンス情報開示処理部は通知されたプレゼンス情報を特定階層プレゼンス情報として取得する。前記特定階層プレゼンス情報は‘社内のａさんへ  Ｂさんの現在状況  ０２／０５／１２  １０：００  打合せ’となる。そして、前記特定階層プレゼンス情報は開示する相手の端末などに通知される。
【００１７】
＜処理の流れ＞
【００１８】
図４は実施形態１の階層的プレゼンス情報開示装置のフローの一例を示す図である。本実施形態の階層的プレゼンス情報開示装置は以下のステップを有してもよい。まず、階層的プレゼンス情報を取得する（ステップＳ０４０１）。そして、取得された階層的プレゼンス情報を、階層ごとに、開示相手識別情報と関連付けて保持する（ステップＳ０４０２）。そして、開示要求情報を取得する（ステップＳ０４０３）。そして、特定階層のプレゼンス情報を開示要求情報に応じて開示する（ステップＳ０４０４）。
【００１９】
＜効果＞
【００２０】
本実施形態の階層的プレゼンス情報開示装置を利用することで、利用者は開示相手に応じて自身のプレゼンス情報を通知することができる。
【００２１】
＜実施形態１以上＞
【００２２】
＜実施形態２＞
【００２３】
＜概要＞
【００２４】
実施形態２の階層的プレゼンス情報開示装置の階層的プレゼンス情報取得部は、プレゼンス情報を予め用意したプルダウンメニューの選択に基づいて階層的プレゼンス情報を取得することを特徴とする。本実施形態の階層的プレゼンス情報開示装置を利用することで、利用者は階層的プレゼンス情報開示装置へプレゼンス情報を簡単に取得させることができる。たとえば、‘在席中’や‘離席中’や‘打合せ’などのプレゼンス情報を画面上に表示されたプルダウンメニューをワンクリックすることなどのマウスによる操作にて簡単に選択することができ、階層的プレゼンス情報開示装置はその選択されたプレゼンス情報を取得する。
【００２５】
＜構成＞
【００２６】
実施形態２の階層的プレゼンス情報開示装置の機能ブロックは図２で示される実施形態１の機能ブロックと同じ内容であるので図を省略する。実施形態２の階層的プレゼンス情報開示装置は、階層的プレゼンス情報取得部と階層的プレゼンス情報保持部と開示要求情報取得部と特定階層プレゼンス情報開示処理部とを有する。これらは従前の実施形態と同様の内容であるので説明を省略する。
【００２７】
実施形態２の階層的プレゼンス情報開示装置の前記階層的プレゼンス情報取得部は、プレゼンス情報を予め用意したプルダウンメニューの選択に基づいて階層的プレゼンス情報を取得する。「予め用意したプルダウンメニュー」とは、階層的プレゼンス情報開示装置がプレゼンス情報を簡単に取得するためにプレゼンス情報が画面上のＧＵＩ（Ｇｒａｐｈｉｃａｌ  Ｕｓｅｒ  Ｉｎｔｅｒｆａｃｅ）のプルダウンメニューとして表現された画面表示の一形式である。利用者はプルダウンメニューをマウスの操作などで選択することで簡単に任意のプレゼンス情報を選択できる。「選択に基づいて」とは、階層的プレゼンス情報開示装置が階層的プレゼンス情報を取得する際に、プレゼンス情報が定義されたプルダウンメニューを利用して利用者がマウスなどで選択したプレゼンス情報を階層的プレゼンス情報開示装置が取得することをいう。「取得」とは、階層的プレゼンス情報開示装置がプルダウンメニューを利用して利用者がマウスなどで選択したプレゼンス情報を取得することをいう。
【００２８】
図５は実施形態２の階層的プレゼンス情報開示装置の実施の一例を示す図である。利用者はプレゼンス情報が定義された画面上のプルダウンメニューにおいてプレゼンス情報の‘打合せ’を選択し、そして、打合せの参加者である‘Ｄ氏’‘Ｅ氏’‘Ｆ氏’を選択することでＢさんのプレゼンス情報を定義する。また、０２／０５／１２  １０：００に△○プロジェクトでＺ製品の不具合についての打合せであることを画面などに入力する。そして、階層的プレゼンス情報開示装置の階層的プレゼンス情報取得部はＢさんの階層的プレゼンス情報として、Ｂさんが０２／０５／１２  １０：００に△○プロジェクトの打合せでＤ氏、Ｅ氏、Ｆ氏とＺ製品の不具合について打合せをするという階層的プレゼンス情報を取得する。そして、階層的プレゼンス情報保持部は取得された階層的プレゼンス情報を保持する。つまり、階層的プレゼンス情報保持部は、前記階層的プレゼンス情報の各々のプレゼンス情報がＩＤを付加し開示相手識別情報と上位階層ＩＤとに関連づけて保持する。そして、開示要求情報取得部が社内の人であるａさんから開示要求情報を取得する。すると、階層的プレゼンス情報保持部は、ＩＤ番号が２のプレゼンス情報の開示相手識別情報が社内の人のａさんであり、そして、上位階層ＩＤのＩＤ番号が１であるので、ＩＤ番号が１と２とのプレゼンス情報である、‘０２／０５／１２  １０：００’と‘打合せ’とを特定階層プレゼンス情報開示処理部に通知する。特定階層プレゼンス情報開示処理部は通知されたプレゼンス情報を特定階層プレゼンス情報として取得する。前記特定階層プレゼンス情報は‘社内のａさんへ  Ｂさんの現在状況  ０２／０５／１２  １０：００打合せ’となる。そして、前記特定階層プレゼンス情報は開示する相手の端末などに通知される。
【００２９】
＜処理の流れ＞
【００３０】
図６は実施形態２の階層的プレゼンス情報開示装置のフローの一例を示す図である。本実施形態の階層的プレゼンス情報開示装置は以下のステップを有してもよい。まず、プレゼンス情報を予め用意したプルダウンメニューの選択に基づいて階層的プレゼンス情報を取得する（ステップＳ０６０１）。そして、取得された階層的プレゼンス情報を、階層ごとに、開示相手識別情報と関連付けて保持する（ステップＳ０６０２）。そして、開示要求情報を取得する（ステップＳ０６０３）。そして、特定階層のプレゼンス情報を開示要求情報に応じて開示する（ステップＳ０６０４）。
【００３１】
＜効果＞
【００３２】
本実施形態の階層的プレゼンス情報開示装置を利用することで、利用者は簡単に階層的プレゼンス情報を階層的プレゼンス情報開示装置に取得させることができる。
【００３３】
＜実施形態２以上＞
【００３４】
＜実施形態３＞
【００３５】
＜概要＞
【００３６】
実施形態３の階層的プレゼンス情報開示装置の階層的プレゼンス情報保持部は、階層ごとに開示相手への開示レベルを示す情報である開示相手レベル情報と関連付けられており、開示相手識別情報は、前記開示相手レベル情報と関連付けられていることを特徴とする。本実施形態の階層的プレゼンス情報開示装置を利用することで、開示相手をグループで定義することができ、簡単に開示相手のグループとして管理ができるようになる。たとえば、社員ＩＤが上３桁が事業所番号である場合に上３桁ごとの事業所毎に開示レベルを設定することができる。
【００３７】
＜構成＞
【００３８】
実施形態３の階層的プレゼンス情報開示装置の機能ブロックは図２で示される実施形態１の機能ブロックと同じ内容であるので図を省略する。実施形態３の階層的プレゼンス情報開示装置は、階層的プレゼンス情報取得部と階層的プレゼンス情報保持部と開示要求情報取得部と特定階層プレゼンス情報開示処理部とを有する。これらは従前の実施形態と同様の内容であるので説明を省略する。
【００３９】
実施形態３の階層的プレゼンス情報開示装置の前記階層的プレゼンス情報保持部は、階層ごとに開示相手への開示レベルを示す情報である開示相手レベル情報と関連付けられており、前記開示相手識別情報は、前記開示相手レベル情報と関連付けられている。「開示相手レベル情報」とは、開示相手の階層ごとのプレゼンス情報の開示レベルを示す情報であり、複数の開示相手を一のグループとして示す情報である。たとえば、会社の事業所や部や課などである。「関連付けられて」とは、開示相手識別情報が開示相手レベル情報と一対一、多対一、一対多、多対多に関連づけられていることをいう。
【００４０】
図７は実施形態３の実施の一例を示す図である。階層的プレゼンス情報開示装置の階層的プレゼンス情報取得部はＢさんの階層的プレゼンス情報として、Ｂさんが０２／０５／１２  １０：００に△○プロジェクトの打合せでＤ氏、Ｅ氏、Ｆ氏とＺ製品の不具合について打合せをするという階層的プレゼンス情報を取得する。そして、階層的プレゼンス情報保持部は取得された階層的プレゼンス情報を保持する。つまり、階層的プレゼンス情報保持部は、前記階層的プレゼンス情報の各々のプレゼンス情報にＩＤを付加し開示相手レベル情報と上位階層ＩＤとに関連づけて保持する。そして、開示要求情報取得部がａさんから開示要求情報を取得する。すると、階層的プレゼンス情報保持部は、開示相手識別情報としてのａさんが開示相手レベル情報としての社内と全員であることを認識し、開示相手レベル情報が全員と社内であるプレゼンス情報である、‘０２／０５／１２  １０：００’と‘打合せ’とを特定階層プレゼンス情報開示処理部に通知する。特定階層プレゼンス情報開示処理部は通知されたプレゼンス情報を特定階層プレゼンス情報として取得する。前記特定階層プレゼンス情報は‘ａさんへ  Ｂさんの現在状況  ０２／０５／１２  １０：００  打合せ’となる。そして、前記特定階層プレゼンス情報は開示する相手の端末などに通知される。
【００４１】
＜処理の流れ＞
【００４２】
図８は実施形態３の階層的プレゼンス情報開示装置のフローの一例を示す図である。本実施形態の階層的プレゼンス情報開示装置は以下のステップを有してもよい。まず、階層的プレゼンス情報を取得する（ステップＳ０８０１）。そして、取得された階層的プレゼンス情報を、階層ごとに開示相手レベル情報とに関連付けて保持する（ステップＳ０８０２）。そして、開示相手識別情報と前記開示相手レベル情報と関連付ける（ステップＳ０８０３）。そして、開示要求情報を取得する（ステップＳ０８０４）。そして、取得された開示要求情報に含まれる開示相手識別情報に関連づけられる開示相手レベルを取得する。（ステップＳ０８０５）。そして、特定階層のプレゼンス情報を開示レベル情報に応じて開示する（ステップＳ０８０６）。
【００４３】
＜効果＞
【００４４】
本実施形態の階層的プレゼンス情報開示装置を利用することで、利用者は開示相手をグループとして簡単に管理することができる。
【００４５】
＜実施形態３以上＞
【００４６】
＜実施形態４＞
【００４７】
＜概要＞
【００４８】
実施形態４の階層的プレゼンス情報開示装置の階層的プレゼンス情報取得部は、プレゼンス情報として、場所に関する情報、時間的余裕に関する情報、仕事の進捗に関する情報、スケジュールに関する情報、体調に関する情報、気分に関する情報、服装に関する情報、おなかのすき具合に関する情報、体感温度に関する情報、身体の痛さに関する情報のいずれか一、又は組み合わせを含むことを特徴とする。本実施形態の階層的プレゼンス情報開示装置を利用することで、利用者は自身に関する詳細な情報を開示することができる。たとえば、利用者が会社に在席しているが体調が優れないことを開示することで開示相手は利用者にすぐに連絡をとることを取りやめることができる。そして、利用者の体調が優れた際に開示相手は利用者に連絡をとることができる。
【００４９】
＜構成＞
【００５０】
実施形態４の階層的プレゼンス情報開示装置の機能ブロックは図２で示される実施形態１の機能ブロックと同じ内容であるので図を省略する。実施形態４の階層的プレゼンス情報開示装置は、階層的プレゼンス情報取得部と階層的プレゼンス情報保持部と開示要求情報取得部と特定階層プレゼンス情報開示処理部とを有する。これらは従前の実施形態と同様の内容であるので説明を省略する。
【００５１】
実施形態４の階層的プレゼンス情報開示装置の階層的プレゼンス情報取得部は、プレゼンス情報として、場所に関する情報、時間的余裕に関する情報、仕事の進捗に関する情報、スケジュールに関する情報、体調に関する情報、気分に関する情報、服装に関する情報、おなかのすき具合に関する情報、体感温度に関する情報、身体の痛さに関する情報のいずれか一、又は組み合わせを含む。「場所に関する情報」とは、利用者が現在いる場所についての情報である。たとえば、住所の情報であったり、建物の名前の情報である。「時間的余裕に関する情報」とは、利用者のスケジュールが詰まっていない時間に関する情報である。「仕事の進捗に関する情報」とは、利用者の業務が進み度合いについての情報である。「スケジュールに関する情報」とは、利用者の業務および行事に関する日程の情報である。「体調に関する情報」とは、利用者の現在の身体的な状態を示す情報である。「気分に関する情報」とは、利用者の現在の精神的な状態を示す情報である。「服装に関する情報」とは、利用者の現在の着衣についての情報である。「おなかのすき具合に関する情報」とは、利用者の現在の空腹度合いについての情報である。「体感温度に関する情報」とは、利用者の現在の精神的な雰囲気温度についての情報である。「身体の痛さに関する情報」とは、利用者の現在の身体的な痛覚に関する情報である。
【００５２】
＜処理の流れ＞
【００５３】
本実施形態の階層的プレゼンス情報開示装置のフローは、図４で示されるフローと基本的に同様の内容であるので説明を省略する。ただし、本実施形態の階層的プレゼンス情報が上述のようになっている点が異なる。
【００５４】
＜効果＞
【００５５】
本実施形態の階層的プレゼンス情報開示装置を利用することで、利用者は自身に関する詳細な情報を開示相手に提供することができる。
【００５６】
＜実施形態４以上＞
【００５７】
＜実施形態５＞
【００５８】
＜概要＞
【００５９】
実施形態５の階層的プレゼンス情報開示装置の階層的プレゼンス情報保持部は、複数の階層的プレゼンス情報を保持する複数階層的プレゼンス情報保持手段を有することを特徴とする。本実施形態の階層的プレゼンス情報開示装置を利用することで、複数の階層的プレゼンス情報を保持することができる。たとえば、利用者の業務の予定を示すスケジュールに関する階層的プレゼンス情報と利用者の連絡の可否などを示すコミュニケーションに関する階層的プレゼンス情報との双方の階層的プレゼンス情報を保持することができる。
【００６０】
＜構成＞
【００６１】
図９は実施形態５の階層的プレゼンス情報開示装置の機能ブロックの一例を示す図である。実施形態５の階層的プレゼンス情報開示装置０９００は、階層的プレゼンス情報取得部０９０１と階層的プレゼンス情報保持部０９０２と開示要求情報取得部０９０３と特定階層プレゼンス情報開示処理部０９０４とを有する。これらは従前の実施形態と同様の内容であるので説明を省略する。
【００６２】
実施形態５の階層的プレゼンス情報開示装置０９００の階層的プレゼンス情報保持部は、複数の階層的プレゼンス情報を保持する複数階層的プレゼンス情報保持手段０９０５を有する。「複数の階層的プレゼンス情報」とは、複数の基となるプレゼンス情報からなる階層的プレゼンス情報をいう。
【００６３】
図１０は複数の階層的プレゼンス情報の一例を示す図である。Ｂさんの基となるプレゼンス情報が‘０２／０５／１２  １０：００’と‘出社’とで２つ存在する。それぞれの基となるプレゼンス情報に下位のプレゼンス情報が存在している。基となるプレゼンス情報‘０２／０５／１２  １０：００’の下位には‘打合せ’と‘△□プロジェクト’が階層的に存在する。また、基となるプレゼンス情報‘出社’の下位には、‘離席’と‘メール受信可’が階層的に存在する。
【００６４】
＜処理の流れ＞
【００６５】
図１１は実施形態５の階層的プレゼンス情報開示装置のフローの一例を示す図である。本実施形態の階層的プレゼンス情報開示装置は以下のステップを有してもよい。まず、階層的プレゼンス情報を取得する（ステップＳ１１０１）。そして、取得された階層的プレゼンス情報を、複数の階層ごとに、開示相手識別情報と関連付けて保持する（ステップＳ１１０２）。そして、開示要求情報を取得する（ステップＳ１１０３）。そして、特定階層のプレゼンス情報を開示要求情報に応じて開示する（ステップＳ１１０４）。
【００６６】
＜効果＞
【００６７】
本実施形態の階層的プレゼンス情報開示装置を利用することで、利用者は自身の多様なプレゼンス情報を開示相手に提供することができる。
【００６８】
＜実施形態５以上＞
【００６９】
＜実施形態６＞
【００７０】
＜概要＞
【００７１】
実施形態６の階層的プレゼンス情報開示装置は、複数階層的プレゼンス情報保持手段の前記複数の階層的プレゼンス情報は、それぞれ前記開示相手識別情報と関連付けられており、開示要求情報取得部で取得した開示要求情報に含まれる開示相手識別情報と関連付けられている階層的プレゼンス情報を選択して要求に応じて開示するための処理をする選択階層的プレゼンス情報開示処理部、を有することを特徴とする。本実施形態の階層的プレゼンス情報開示装置を利用することで、開示相手に適した階層的プレゼンス情報を開示することができる。たとえば、顧客である開示相手が利用者に現在は電話をかけてもよいかどうか知りたい際に、電話の応対が不可能であるとのプレゼンス情報を顧客である開示相手に提供することができる。
【００７２】
＜構成＞
【００７３】
図１２は実施形態６の階層的プレゼンス情報開示装置の機能ブロックの一例の図である。実施形態６の階層的プレゼンス情報開示装置１２００は、階層的プレゼンス情報取得部１２０１と階層的プレゼンス情報保持部１２０２と開示要求情報取得部１２０３と特定階層プレゼンス情報開示処理部１２０４と複数階層的プレゼンス情報保持手段１２０５とを有する。これらは従前の実施形態と同様の内容であるので説明を省略する。
【００７４】
実施形態６の階層的プレゼンス情報開示装置の階層的プレゼンス情報保持部の複数階層的プレゼンス情報保持手段１２０５の前記複数の階層的プレゼンス情報は、それぞれ前記開示相手識別情報と関連付けられており、前記開示要求情報取得部で取得した開示要求情報に含まれる開示相手識別情報と関連付けられている階層的プレゼンス情報を選択して要求に応じて開示するための処理をする選択階層的プレゼンス情報開示処理部１２０６を有する。「それぞれ前記開示相手識別情報と関連付けられて」とは、複数の階層的プレゼンス情報のそれぞれのプレゼンス情報が開示相手識別情報とが一対一、多対一、一対多、多対多に関連づけられていることをいう。「含まれる」とは、開示要求情報が開示相手識別情報を有することをいう。「選択して」とは、開示要求情報が有する開示相手識別情報と関連付けられているプレゼンス情報と前記プレゼンス情報の上位階層に関連づけられている全てプレゼンス情報を開示相手に開示する階層的プレゼンス情報とすることをいう。「要求に応じて開示する」とは、階層的プレゼンス情報開示装置が開示要求情報を取得した際に前記開示相手に開示する階層的プレゼンス情報を開示相手に通知することをいう。「処理」とは、開示相手が前記階層的プレゼンス情報を開示相手の端末で閲覧できるように処理することをいう。
【００７５】
図１３は実施形態６の階層的プレゼンス情報開示装置の実施の一例を示す。
階層的プレゼンス情報開示装置の階層的プレゼンス情報取得部はＢさんの複数の階層的プレゼンス情報として、Ｂさんが０２／０５／１２  １０：００に△○プロジェクトの打合せでＤ氏、Ｅ氏、Ｆ氏とＺ製品の不具合について打合せをするという社内用の階層的プレゼンス情報とＢさんが出社で離席しておりメール受信が可能であるという社外用の階層的プレゼンス情報を取得する。そして、複数階層的プレゼンス情報保持手段は取得された複数の階層的プレゼンス情報を保持する。つまり、複数階層的プレゼンス情報保持手段は、前記複数の階層的プレゼンス情報の各々のプレゼンス情報にＩＤを付加し開示相手識別情報と上位階層ＩＤとに関連づけて保持する。そして、開示要求情報取得部が顧客であるｅさんから開示要求情報を取得する。すると、複数階層的プレゼンス情報保持手段は、ｅさんは社外の人であるので社外の人のための社外用の階層的プレゼンス情報の中で、開示相手識別情報が顧客のｅさんであるＩＤ番号６のプレゼンス情報の‘メール受信可’とその上位階層にあるＩＤ番号５と４のプレゼンス情報の‘離席’と‘出社’とを選択階層的プレゼンス情報開示処理部に通知する。選択階層的プレゼンス情報開示処理部は通知されたプレゼンス情報を特定階層の階層プレゼンス情報として取得する。前記特定階層の階層プレゼンス情報は‘顧客のｅさんへ  Ｂさんの現在状況  出社  離席  メール受信可’となる。そして、前記階層プレゼンス情報は開示する相手の端末などに通知される。
【００７６】
＜処理の流れ＞
【００７７】
図１４は実施形態６の階層的プレゼンス情報開示装置のフローの一例を示す図である。本実施形態の階層的プレゼンス情報開示装置は以下のステップを有してもよい。まず、階層的プレゼンス情報を取得する（ステップＳ１４０１）。そして、取得された階層的プレゼンス情報を、複数の階層ごとに、開示相手識別情報と関連付けて保持する（ステップＳ１４０２）。そして、複数の階層的プレゼンス情報を、それぞれ開示相手識別情報と関連付ける（ステップＳ１４０３）。そして、開示要求情報を取得する（ステップＳ１４０４）。そして、階層的プレゼンス情報を選択して、開示要求情報に応じて特定階層のプレゼンス情報を開示する（ステップＳ１４０５）。
【００７８】
＜効果＞
【００７９】
本実施形態の階層的プレゼンス情報開示装置を利用することで、利用者は複数の階層的プレゼンス情報から開示相手に応じたプレゼンス情報を開示することができる。
【００８０】
＜実施形態６以上＞
【００８１】
尚、本発明の階層的プレゼンス情報開示装置は、上述の図示例にのみ限定されるものではなく、本発明の要旨を逸脱しない範囲内において種々変更を加え得ることは勿論である。
【発明の効果】
以上、説明したように本発明の請求項１〜７記載の階層的プレゼンス情報開示装置によれば、利用者は開示相手に応じて自身のプレゼンス情報を通知することができるという優れた効果を奏し得る。
【図面の簡単な説明】
【図１】実施形態１の概念の一例を示す図
【図２】実施形態１の機能ブロックの一例を示す図
【図３】実施形態１の実施の一例を示す図
【図４】実施形態１のフローの一例を示す図
【図５】実施形態２の実施の一例を示す図
【図６】実施形態２のフローの一例を示す図
【図７】実施形態３の実施の一例を示す図
【図８】実施形態３のフローの一例を示す図
【図９】実施形態５の機能ブロックの一例を示す図
【図１０】実施形態５の構成の一例を示す図
【図１１】実施形態５のフローの一例を示す図
【図１２】実施形態６の機能ブロックの一例を示す図
【図１３】実施形態６の実施の一例を示す図
【図１４】実施形態６のフローの一例を示す図
【符号の説明】
０２００  階層的プレゼンス情報開示装置
０２０１  階層的プレゼンス情報取得部
０２０２  階層的プレゼンス情報保持部
０２０３  開示要求情報取得部
０２０４  特定階層プレゼンス情報開示処理部
【図１】
2005004567.tif 000003
【図２】
2005004567.tif 000004
【図３】
2005004567.tif 000005
【図４】
2005004567.tif 000006
【図５】
2005004567.tif 000007
【図６】
2005004567.tif 000008
【図７】
2005004567.tif 000009
【図８】
2005004567.tif 000010
【図９】
2005004567.tif 000011
【図１０】
2005004567.tif 000012
【図１１】
2005004567.tif 000013
【図１２】
2005004567.tif 000014
【図１３】
2005004567.tif 000015
【図１４】
2005004567.tif 000016